(57)【特許請求の範囲】
【請求項１】
冷却装置、及び該冷却装置に隣接し燃焼室内部に亘って形成された燃焼室内壁を有し高温ガス流を噴出するロケット推進装置用燃焼室であって、前記燃焼室内壁がくぼみを有し、該くぼみが、最大で燃焼室内壁の厚さの半分の深さを有して、燃焼室の運転中に燃焼室内壁領域に形成されるガス流の安定境界層が、くぼみの領域内で流体工学的に不安定化するように形成されることを特徴とするロケット推進装置用燃焼室。
【請求項２】
くぼみが、最大で境界層の厚さと等しい深さを有することを特徴とする請求項１記載の燃焼室。
【請求項３】
くぼみが、粗くした表面により形成されることを特徴とする請求項１または２に記載の燃焼室。
【請求項４】
くぼみが溝として形成され、燃焼室の円周方向に対し最大４５°傾斜することを特徴とする請求項１または２に記載の燃焼室。
【請求項５】
くぼみが、リング状になった閉じた溝として形成されることを特徴とする請求項４に記載の燃焼室。
【請求項６】
くぼみが少なくとも一つのねじ螺旋を有するねじとして形成されることを特徴とする請求項４に記載の燃焼室。
【請求項７】
くぼみの断面が円の切片の形状で形成され、その際円の切片の半径がくぼみの深さより大きいかまたは等しいことを特徴とする請求項１ないし６のいずれか１に記載の燃焼室。
【請求項８】
燃焼室内壁がくぼみ数の密度の異なる領域を有することを特徴とする請求項１ないし７のいずれか１に記載の燃焼室。
【請求項９】
燃焼室が該燃焼室の前端（燃焼室入口）に噴射ヘッドを有し、該燃焼室の前端に対向する燃焼室の後端（燃焼室出口）にガス流噴出口として燃焼室のくびれを有し、噴射ヘッド領域および／または燃焼室のくびれの上流領域に高い密度のくぼみ数を有することを特徴とする請求項８に記載の燃焼室。
【発明の詳細な説明】
【０００１】
【発明の属する技術分野】
本発明は、冷却装置と、外冷却装置に隣接し燃焼室内部に亘って形成された燃焼室内壁を有する、高温ガス流を噴出するためのロケット推進装置用燃焼室に関する。
【０００２】
【従来の技術】
通常、燃焼室の燃焼室内壁に隣接する冷却装置は、高温燃焼ガスに対し燃焼室内壁を低温に保ち、燃焼室の寿命を十分高めることを目的とする。しかし、再生冷却推進装置のような特別なロケット推進装置では、冷却装置への高い熱伝達を達成することが望ましい。これらロケット推進装置では、冷却装置の受ける熱量が推進装置の効率的運転のため、例えば燃料ポンプの駆動のためにさらに使用されるからである。この場合、冷却装置の受ける熱量が高いほど、推進装置の効率的運転が可能となる。
【０００３】
熱伝達を向上させる一つの可能性は、従来技術では例えばＤＥ１９９０１４２２が知られており、ここでは、冷却剤のための冷却管路を備え、軸方向にリブを有する燃焼室が記載されている。従って熱伝達の向上は、燃焼室の内部表面積の拡大により行われる。しかしこの場合、一方では前記軸方向リブの製作が製造技術的にきわめて高価であり、他方では推進装置質量の増大をもたらすという問題がある。燃焼室の内部表面積を拡大するための代替方法としては、ＤＥ１１３５４０５及びＵＳ５，２２１，０４５に記載されており、ここでは、冷却管が燃焼室内壁構造の部分的ふくらみにより形成される。この場合も、製造コストが高く、また構造の安定性と負荷容量が低いという問題がある。
【０００４】
内表面を向上させるための別の代替手段として、燃焼室の延長が考えられるが、推進装置の全長が予め与えられている場合が多く、推進ノズルを短縮することになるゆえ、これも推進装置の能力の低下をもたらすことになる。更に考えられる別の代替手段としては、燃焼室壁面の高温ガス側温度の低下があるが、冷却剤使用による冷却装置の通常手段では、高温ガス流のガス温度と燃焼室壁面の温度差がわずかしか向上しないので冷却剤の強い圧力降下を考慮しなければならず、これも再生冷却推進装置における燃焼室圧力の低下をもたらすことになる。
【０００５】
【発明が解決しようとする課題】
従って本発明の課題は、簡単な方法で冷却装置への熱伝達を向上させたロケット推進装置用燃焼室を提供することである。
【０００６】
【課題を解決するための手段】
この課題は、請求項１の特徴部分により記載された構成により解決される。
【０００７】
本発明の燃焼室は、冷却装置、及び該冷却装置に隣接し燃焼室内部に亘って形成された燃焼室内壁を有し、高温ガス流を噴出するロケット推進装置用燃焼室であって、該燃焼室内壁はくぼみを有し、該くぼみは、燃焼室の運転中に燃焼室内壁領域に形成されたガス流の安定境界層が、くぼみの領域内で流体工学的に不安定になるように形成される。従って本発明は、問題に対して従来技術とは別のアプローチを行った。燃焼室内のガス流は、通常の平滑な燃焼室壁面では燃焼室壁面領域に境界層を形成するため、燃焼室壁面への高温ガス流の熱伝達に対し一種の熱絶縁作用を生じさせる。本発明は、この熱絶縁境界層の形成を組織的に妨げ、それにより燃焼室壁面への熱伝達を格段に向上させることを目的とする。本発明によれば、それらの効果が実質的に境界層に限定されるようにくぼみが設けられるため、燃焼室全体の特性に与える影響はごくわずかで済むことになる。
【０００８】
Ｈ．Ｉｍｍｉｃｈ他「ドイツ国技術プログラムにおける低温液体ロケット・エンジン技術の開発」（ＡＩＡＡ誌９７−２８２２号、第３３回ＡＩＡＡ／ＡＳＭＥ／ＳＡＥ／ＡＳＥＥ合同推進装置会議及び展覧会、１９９７年７月６−９日、ワシントン州シアトル市、ｐ．１３）では、熱絶縁境界層の形成が妨げられる場合、高温ガス側の熱伝達の向上が基本的に可能であることが知られている。しかし従来技術では、上記問題を効果的に実施する適切な手段が開示されていない。むしろこの文献では、この問題解決手段の実施が技術的にきわめて困難であるゆえ、本課題から逸脱している。本発明は、上記問題の解決手段として、燃焼室内壁に適当なくぼみを設けることにより、容易に実現可能な解決手段を提供し、前記くぼみは低コストで燃焼室内壁に設けることが可能なため、従来技術の問題点を簡単な方法で解決することができる。
【０００９】
前記くぼみは最大で燃焼室内壁厚さの半分の深さを有するように構成されることが望ましい。この場合特に、くぼみの寸法を境界層の広がりに合わせて調節可能である。従って、前記くぼみは最大で境界層の厚みと等しい深さになるように構成することが可能である。
【００１０】
所望の効果を得るため、各種のくぼみが設置できる。くぼみは、例えば適当な吹きつけ手段により作製する粗くした表面により形成可能である。
【００１１】
その他の例として前記くぼみは、燃焼室の円周方向に対し最大４５°傾斜した溝として形成することもできる。その場合それらは燃焼室の円周方向に閉じた溝として、または少なくとも一つのねじ螺旋を有するねじとして形成することもできる。特にねじとしての形成は、くぼみの作製を容易にする可能性を有する。
【００１２】
前記くぼみの形状は、製作方法により自動的に決定しない限り、各種基準に従って最適化できる。くぼみの断面は、円の切片の半径がくぼみの深さより大きいまたは等しい円の切片の形状により形成される。これによりくぼみのノッチ効果を低減でき、燃焼室の寿命が向上できる。
【００１３】
くぼみ数の密度の変化、特に粗くした表面においては単位面積ごとのくぼみ数、また、溝においては単位長さごとのくぼみ数の変化は、境界層に対するくぼみの妨害作用を局部的に変化させることができ、燃焼室壁面の各領域の局部的熱伝達を必要に応じてその条件毎に適合させることができる。従って、燃焼室内壁がくぼみ数の密度が変化する領域を有することが望ましい。その場合燃焼室は、特に燃焼室の前端（燃焼室入口）に噴射ヘッドを有すると共に、該燃焼室前端に対向する燃焼室後端（燃焼室出口）にガス流の噴出口として燃焼室のくびれを有する。燃焼室では、燃焼室のくびれの領域で、高温の熱流が発生する。それらを低減させるため、噴射ヘッド領域、燃焼室のくびれの上流領域に、くぼみ数の密度が特に高くなるように構成することができる。これにより高温の熱流がノズルのくびれに達する前に、燃焼室壁面に伝達できる。他方、前記燃焼室は、噴射ヘッド領域で比較的低い熱流を有する。この領域のガス流は、その下流よりも低温だからである。燃焼室壁面のこの領域で、くぼみ数の密度が高いと、燃焼室壁面に対する熱伝達を向上できるので、この個所の局部的熱伝達が、燃焼室壁面のさらに下流の領域での局部的熱伝達と平衡にできる。それにより、燃焼室全長にわたる一様な熱伝達を達成できる。燃焼室壁面の個々の領域内のくぼみ数の密度の増加は、相互に交互にまたは累積的に行うことができる。
【００１４】
【発明の実施の形態】
以下、図１から４に関して本発明の実施形態を説明する。
【００１５】
図１は、ロケット推進装置の一実施形態で、予備燃焼を行わない主流プロセス（拡張プロセスとも呼ばれる）により動作する。ここでは、第一燃料が燃料ポンプ２の供給管１に供給される。そこから供給管３が分岐し、燃焼室４の壁面の冷却、及び場合によりロケット推進装置の推進ノズル５の冷却も行う冷却装置に第一燃料を供給する。第一燃料は、燃焼室４と場合により推進ノズル５から冷却許容範囲内で熱を吸収する。別の供給管７は、第一燃料を、蓄えたその熱エネルギとともに燃焼室から運び出す。この熱エネルギは、燃料ポンプ２を駆動するタービン６の駆動に使われる。そのあと第一燃料は、供給管８によりロケット推進装置の噴射ヘッド９に供給され、燃焼のため燃焼室４内に噴射される。第二燃料は、燃料ポンプ２を通過した直後に供給管１０により噴射ヘッド９に供給され、同様に燃焼室内に噴射される。
【００１６】
上記の推進装置において、できるだけ効率のよい運転を保証し、できるだけ高い燃焼室圧力を得るために、燃料が可能な限り高温でタービンに入り、燃料ポンプ内で供給燃料の高い圧縮が達成されるように、第一燃料が冷却装置を通過する際に、できるだけ大きい熱量を吸収することが必要である。
【００１７】
主流原理が使用されない場合、第一燃料以外の燃焼室内壁の冷却のための別の冷却剤、または別の冷却装置を使用することも可能である点を注記する。従って本発明は、上記特別の推進装置のみに限定されない。
【００１８】
図２の断面図は、例に挙げた燃焼室４の構造の詳細を示す。燃焼室４は、燃焼室のくびれ１１を有する。燃焼室内壁の内層１２に冷却管路１４（図２（ｂ）〜（ｄ））が形成され、冷却剤（上記では第一燃料）が貫流する。冷却管路１４は、燃焼室内壁の高温ガス流側と反対向きの側で、燃焼室内壁の第２層１３で覆われる。図１の前記供給管３と接続可能な接続部１５により、冷却剤は冷却管路に導かれ、高温ガス流の流れ方向１７に逆らって冷却管路１４を通って（図２ａに図示しない）噴射ヘッド９の方向に流れる。このとき冷却剤は、燃焼室内壁の内層１２の熱を吸収する。
【００１９】
冷却剤によって可能な限り大きな熱量を吸収するため、この例では燃焼室壁の内層１２に、基本的に燃焼室の円周方向、すなわち基本的に流れ方向１７に対し垂直方向に形成された横方向溝１６が設けられる。この溝は、例えば個々のリング形状として彫り込むことができ、燃焼室４の円周方向にリング状に閉じた溝として設けることができる。この作製工程は、燃焼室の最終的製作工程として行われる。溝は、円周方向に対し最大４５°傾斜した、例えばねじの形状に設置することもできる。ねじは、一つまたは複数のねじ螺旋を有することができる。
【００２０】
図３は、燃焼室内壁の内層１２の寸法関係と、特に横方向溝として形成されるくぼみ１６を例示する。燃焼室の内層１２は、冷却管路１４上で１０分の何ミリかないし数ミリ、例えば０．５ｍｍないし１ｍｍの厚みｄwを有する。熱絶縁性境界層の標準的な厚みは、１ｍｍ以下の領域にある。従って、境界層の流体工学的な不安定化を達成するには、１０分の何ミリかの領域、例えば０．１ないし０．２ｍｍの深さｄvのくぼみを設ければよい。
【００２１】
図４は横方向溝の寸法の詳細を示す。それらは深さｄv、幅ｗ、半径ｒ及び溝相互の中心部同士の間隔ａを有する。横方向溝の深さｄvは、１０分の何ミリかの領域、例えば０．１−０．２ｍｍの領域とする。溝の半径ｒはノッチ効果向上のためできるだけ大きくし、前記の場合では例えば溝の深さｄvの約１．５倍ないし２倍である。それにより溝幅ｗでは、図４の場合溝の深さｄvの約２倍ないし３倍で、溝の特別な形態に対する製作上の影響を別にして、溝が全体として円の切片の形状に形成される。
【００２２】
溝相互の中心部同士の間隔ａは、燃焼室内壁への熱伝達の強さに対する局部的条件に対応可能、すなわち間隔ａによりくぼみ数の局部的密度が調節できる。例えば図４では、間隔は約１ｍｍすなわち溝の深さｄvの１０倍であるから、ここでは長さ１ｃｍ当たり１０本の溝を有する。密度も、完全に平滑な領域、すなわち１ｃｍ当たり０溝から、例えば１ｃｍ当たり５０本まで、必要に応じて減少または増加できる。初めに述べたように、噴射ヘッドの近くの領域と、燃焼室のくびれの上流領域では局部的に溝密度を高くする、またはこれら領域だけにくぼみ（ここでは溝）を高い密度で設け、他は燃焼室の内壁を平滑に形成することが有効であることが明らかとなっている。
【００２３】
上記例は溝形状のくぼみとして説明したが、その他の例として、燃焼室の内表面を粗くする効果を持ち、前記に示したようなくぼみ寸法の大きさの関係に適合する別のくぼみも設置できる。それら代替例の一つとしては、吹き付け方法、またはウォータジェット噴射による表面の粗化などが考えられ得るであろう。
【００２４】
【発明の効果】
本発明の燃焼室によれば、簡易な方法で燃焼室壁面の熱絶縁境界層の形成を防ぐことにより、燃焼室壁面及び冷却装置への熱伝達を格段に向上させることができる。
【図面の簡単な説明】
【図１】予備燃焼を行わない主流プロセス（拡張プロセス）による再生冷却によるロケット推進装置の図である。
【図２】（ａ）は横方向溝を有する燃焼室の断面図、（ｂ）は（ａ）のＡ−Ａ断面図、（ｃ）は（ａ）のＢ−Ｂ断面図、（ｄ）は（ａ）のＣ−Ｃ断面図である。
【図３】燃焼室の壁厚さと溝深さの寸法関係を示す概略図で、図２（ａ）のｄ−ｄ断面図である。
【図４】横方向溝の構造を示す図である。
【符号の説明】
１，３，７，８，１０  供給管
２    燃料ポンプ
４    燃焼室
５    推進ノズル
６    タービン
９    噴射ヘッド
１１    くびれ
１２    燃焼室内壁の内層
１３    燃焼室内壁の第２層
１４    冷却管路
１５    接続部
１６    くぼみ（溝）
１７    流れ方向
【図１】
0003958024.tif 000002
【図２】
0003958024.tif 000003
【図３】
0003958024.tif 000004
【図４】
0003958024.tif 000005